(57)【特許請求の範囲】
【請求項１】
電子機器のハウジングの開口部を介して出し入れ可能なカード収納用トレイであって、
カードを保持して前記開口部を介して前記ハウジングに収納可能なカード保持部と、
前記ハウジングに収納された前記カード保持部を前記開口部から引き出すつまみ部と、
前記つまみ部を、前記カード保持部に近接する位置と前記カード保持部から離隔した位置との間で移動可能とする移動手段と、
前記つまみ部を前記カード保持部から離隔する方向に付勢する付勢手段とを備えることを特徴とするカード収納用トレイ。
【請求項２】
前記つまみ部は、前記移動手段によって、前記ハウジングの開口部において、前記カード収納用トレイの出し入れ方向に移動可能であることを特徴とする請求項１に記載のカード収納用トレイ。
【請求項３】
前記移動手段は、前記つまみ部に形成したガイド穴と、前記ガイド穴を貫通し両端部が前記カード保持部に固定されたガイド軸とを備え、前記ガイド軸が前記ガイド穴に沿って相対的に移動することにより、前記つまみ部が、前記カード保持部に近接する位置と前記カード保持部から離隔した位置との間で移動可能であることを特徴とする請求項１または請求項２に記載のカード収納用トレイ。
【請求項４】
前記付勢手段は、前記つまみ部側に設けられたつまみ側磁石と、前記カード保持部側に設けられたトレイ側磁石との組であり、前記つまみ側磁石と前記トレイ側磁石とは、対向する側が同極性を有し相互に反発することを特徴とする請求項１から請求項３までの何れか一項に記載のカード収納用トレイ。
【請求項５】
前記付勢手段は、前記つまみ部と前記つまみ部から分離した前記カード保持部との間に配置された弾性部材からなり、該弾性部材が、前記つまみ部を前記カード保持部から離隔させるように付勢することを特徴とする請求項１から請求項３までの何れか一項に記載のカード収納用トレイ。
【請求項６】
前記付勢手段は、前記つまみ部と前記つまみ部から分離した前記カード保持部との間に配置されたコイルスプリングからなり、該コイルスプリングが、前記つまみ部を前記カード保持部から離隔させるように付勢することを特徴とする請求項１から請求項３までの何れか一項に記載のカード収納用トレイ。
【請求項７】
前記カード保持部に、前記つまみ部を収容可能な切欠部が形成されており、前記付勢手段は、前記つまみ部を該切欠部から押し出す方向に付勢することを特徴とする請求項１から請求項６までの何れか一項に記載のカード収納用トレイ。
【請求項８】
前記移動手段が、前記カード保持部および前記つまみ部の所定の箇所に設けられた軸からなり、前記付勢手段が、前記つまみ部を前記軸を中心に所定の角度回転させることによって、前記つまみ部の一部を前記カード保持部から離隔した位置まで移動させることを特徴とする請求項１または請求項２に記載のカード収納用トレイ。
【請求項９】
前記軸が、前記カード保持部に近接した位置または前記カード保持部に設けられており、
また、前記つまみ部が前記カード保持部に近接した位置にあるときの前記カード収納用トレイの出し入れ方向に沿った方向における前記つまみ部の大きさをＬ１とし、前記つまみ部の一部が前記カード保持部から離隔した位置にあるときの前記カード収納用トレイの出し入れ方向に沿った方向における前記つまみ部の大きさをＬ２とすると、Ｌ２がＬ１より大であることを特徴とする請求項８に記載のカード収納用トレイ。
【請求項１０】
前記付勢手段はばね部分と両端のフック部分とを有するトーションバネであり、該トーションバネの前記ばね部分が前記軸に装着され、前記フック部分の一方が前記カード保持部に対し固定され、前記フック部分の他方が前記つまみ部に係合され、これにより、前記トーションバネが、前記つまみ部を前記軸を中心に所定の角度回転させることによって、前記つまみ部の一部を前記カード保持部から離隔した位置まで移動させることを特徴とする請求項８または請求項９に記載のカード収納用トレイ。
【請求項１１】
請求項１から請求項１０までの何れか一項に記載のカード収納用トレイであって、電子機器のハウジングの開口部を介して該電子機器のハウジングに収容可能なカード収納用トレイと、
前記電子機器のハウジングの開口部を閉塞可能なキャップとを備えることを特徴とするカード収納構造。
【請求項１２】
請求項１１に記載のカード収納構造を有することを特徴とする電子機器。
【発明の詳細な説明】
【技術分野】
【０００１】
本発明は、カード収納用トレイ、カード収納構造およびカード収納構造を利用した電子機器に関する。
【背景技術】
【０００２】
従来、携帯電話などの電子機器において、外部アクセスにてメモリカードを着脱するトレイタイプのカードコネクタを搭載したものが普及している（例えば、特許文献１参照）。この種のカードコネクタでは、電子機器のハウジングの外部からメモリカードを抜き差しする開口部を介してコネクタ内に塵などが入り込むことを防止したり、あるいは外観性を高めるため、開口部にキャップが設けられたりしている。
【０００３】
近年では、電子機器の使用環境の広がりにより、キャップによる防水性が望まれている。この種のキャップにおいて、Ｏリングを利用して防水性を維持する構造が開発されている（例えば、特許文献２参照）。このキャップによれば、Ｏリングの使用により、高防水性および高耐久性を両立することができる。
【先行技術文献】
【特許文献】
【０００４】
【特許文献１】特開２００２−２１６０８２号公報
【特許文献１】特開２０１１−２４４２４７号公報
【発明の概要】
【発明が解決しようとする課題】
【０００５】
しかしながら、従来の電子機器の防水性を有するキャップにあっては、Ｏリングなどを利用した防水構造の小型化は困難である。特に、キャップの厚み方向には、ある程度の長さを確保する必要が生じてしまう。このため、開口部もまた厚み方向に長くなってしまうので、コネクタがハウジングの奥側に配置されるようになってしまう。
【０００６】
この場合、コネクタのトレイを最奥部に収納した状態では、使用者はキャップを外して指先をトレイに引っ掛けて取り出そうとしても、トレイが奥側にあるため指先が届きにくい。これにより、使用者はトレイに指や爪を引っ掛けることが困難になってしまい、トレイを排出しにくいか、状況によってはトレイを排出できない可能性があるという問題があった。
【０００７】
これを解決するために、開口部の開口面積を大きくして指先を入れ易くすることが考えられるが、その場合はハウジング全体の大型化を招いてしまう。
【０００８】
本発明は、このような問題を解決するためになされたもので、カードを保持するトレイをハウジングから容易に取り出すことができるカード収納用トレイ、カード収納構造およびカード収納構造を利用した電子機器を提供することを目的とする。
【課題を解決するための手段】
【０００９】
本発明に係るカード収納用トレイは、上記目的の達成のため、電子機器のハウジングの開口部を介して出し入れ可能なカード収納用トレイであって、カードを保持して前記開口部を介して前記ハウジングに収納可能なカード保持部と、前記ハウジングに収納された前記カード保持部を前記開口部から引き出すつまみ部と、前記つまみ部を、前記カード保持部に近接する位置と前記カード保持部から離隔した位置との間で移動可能とする移動手段と、前記つまみ部を前記カード保持部から離隔する方向に付勢する付勢手段とを備えることを特徴とする。
【００１０】
また、本発明に係るカード収納構造は、電子機器のハウジングの開口部を介して該電子機器のハウジングに収容可能なカード収納用トレイと、前記電子機器のハウジングの開口部を閉塞可能なキャップとを備えることを特徴とする。
【００１１】
本発明のこれらの構成によると、ハウジングの内部からトレイを取り出す際に、キャップを開口部から取り外すと、つまみ部が、キャップを取り付けていた開口部からハウジングの外部まで、あるいは開口部の内側であっても開口部の近くまで移動するので、使用者は指先あるいは爪をつまみ部に引っ掛けることができるようになる。これにより、従来のように指先や爪がトレイに届かない場合に比べて、ハウジングからトレイおよびカードを容易に取り出すことができる。
【００１２】
また、本発明に係る電子機器は、上記目的達成のため、上述したカード収納構造を有するよう構成することを特徴とする。この構成により、上述したカード収納構造を搭載した電子機器では、電子機器に装着した例えばメモリカードやＩＣカードなどのカードを取り出す際に、使用者は指先あるいは爪をつまみ部に引っ掛けることができ、ハウジングからトレイおよびカードを容易に取り出すことができるようになる。
【発明の効果】
【００１３】
本発明によれば、カードを保持するカード収納用トレイを、コネクタの最奥部に収納することが妨げられることなく、ハウジングから容易に取り出すことができる、カード収納用トレイ、カード収納構造およびカード収納構造を利用した電子機器を提供することができる。
【図面の簡単な説明】
【００１４】
【図１】本発明の実施の形態に係るカード収納用トレイを示す斜視図であり、（ａ）はつまみ部がトレイの本体部から離れた状態、（ｂ）はつまみ部が押し込まれた状態をそれぞれ示す。
【図２】本発明の実施の形態に係るカード収納構造のキャップが閉塞された状態を示す斜視図である。
【図３】図２のＩＩ−ＩＩ線方向に見た状態を示す断面図である。
【図４】本発明の実施の形態に係るカード収納構造からカード収納用トレイを取り出す際に、カード収納用トレイのつまみ部がハウジングの開口部から突出した状態を示す斜視図である。
【図５】本発明の実施の形態に係るカード収納構造からカード収納用トレイを引き出した状態を示す斜視図である。
【図６】本発明の実施の形態に係るカード収納構造を示す断面図であり、（ａ）はトレイをハウジングの開口部に挿入する直前の状態、（ｂ）はトレイのカード保持部を開口部に挿入した状態、（ｃ）はつまみ部を押しながらトレイをコネクタの最奥部まで挿入した状態、（ｄ）はキャップを閉塞した状態をそれぞれ示す。
【図７】本発明の実施の形態に係るカード収納構造を示す断面図であり、（ａ）はキャップを閉塞した状態、（ｂ）はキャップを開口部から引き出した状態、（ｃ）はキャップを開口部から取り外した状態、（ｄ）はトレイを引き出し始めた状態、（ｅ）はトレイをハウジングから完全に引き出した状態をそれぞれ示す。
【図８】本発明の他の実施の形態に係るカード収納構造のキャップと、つまみ部とトレイとの間に設けた付勢手段とを示す図であり、（ａ）は（ｂ）のＩＩＩ−ＩＩＩ線方向に見た一部拡大側面断面図、（ｂ）は一部斜視図をそれぞれ示す。
【図９】図８のＩＩＩ−ＩＩＩ線方向に見た本発明の他の実施の形態に係るカード収納構造の縦断面図であり、（ａ）はキャップを閉塞した状態、（ｂ）はキャップを開口部から引き出した状態をそれぞれ示す。
【図１０】本発明の第３の実施の形態に係るカード収納用トレイを示す図であり、（ａ）はつまみ部がトレイの本体部から離れた状態を示す斜視図、（ｂ）は（ａ）に示すカード収納用トレイの一部を拡大した側面図である。
【図１１】本発明の第３の実施の形態に係るカード収納用トレイの斜視図であり、つまみ部がトレイの本体部側に収容された状態を示す。
【図１２】本発明の第３の実施の形態に係るカード収納用トレイのカード収納構造の斜視図であり、キャップを開口部から取り外し、カード収納用トレイを引き出している状態を示す。
【図１３】本発明の第４の実施の形態に係るカード収納用トレイを示す図であり、（ａ）はつまみ部がトレイの本体部から離れた状態を示す斜視図、（ｂ）は（ａ）に示すカード収納用トレイの一部を拡大した側面図である。
【図１４】本発明の第４の実施の形態に係るカード収納用トレイの斜視図であり、つまみ部がトレイの本体部側に収容された状態を示す。
【発明を実施するための形態】
【００１５】
以下、本発明の実施の形態について、図面を参照して説明する。本実施の形態においては、本発明に係るカード収納用トレイを収容するカード収納構造を電子機器としての携帯電話に搭載した場合について説明する。
【００１６】
まず、図１から図５を参照しながら、本発明の実施の形態に係るカード収納用トレイ（以下、単に、「トレイ」という）２０、カード収納構造１およびカード収納構造を利用した電子機器の構成について説明する。
【００１７】
図１に示すように、トレイ２０は、カード保持部２１とつまみ部２２とを備える。カード保持部２１は、例えばマイクロＳＤカードのようなメモリカードや、ＳＩＭカードのようなＩＣカード（以下、カード６０と総称する）を保持する。
【００１８】
ハウジング１０が、電子機器の一例の携帯電話の筐体と兼用されている。ハウジング１０は、図４および図５に示すように、トレイ２０を挿通させるための開口部１１を有しており、トレイ２０を開口部１１を介してハウジング１０内に収納することができる。
【００１９】
つまみ部２２は、図２に示すようにトレイ２０がハウジング１０に収納されている場合に、図４および図５に示すように、トレイ２０を開口部１１から引き出すために用いるものである。
【００２０】
図１（ａ）および図１（ｂ）に基づいて詳述すると、つまみ部２２は、カード保持部２１のカードが収容されない部分に形成された切欠部２４に収容される大きさに形成されており、トレイ２０の出し入れ方向Ａを長手方向とするガイド穴２２ａを備える。切欠部２４は、対向する一対の側面とそれらの側面を連結する底面とを有する。また、カード保持部２１の引出し方向の先端側には、幅方向を長手方向としてガイド穴２２ａを貫通するガイド軸２３が設けられている。つまみ部２２は、ガイド軸２３に保持されていて、ガイド軸２３がガイド穴２２ａに沿って相対的に移動することにより、出し入れ方向Ａに摺動することができる。ガイド穴２２ａおよびガイド軸２３は移動手段を構成する。
【００２１】
これにより、つまみ部２２は、カード保持部２１に対して、図１（ａ）に示すように、切欠部２４から最も引き出された状態と、図１（ｂ）に示すように、切欠部２４に最も押し込まれた状態との間で摺動し、カード保持部２１に対する相対位置を変化させることができる。
【００２２】
図２および図３に示すように、キャップ３０は、ハウジング１０にカード保持部２１を収納した後に防水や防塵のために開口部１１を閉塞することができる。本実施の形態では、キャップ３０は、開口部１１に対して、出し入れ方向Ａに沿って着脱可能なものとしている。キャップ３０の開閉方式としては、出し入れ方向Ａに沿って着脱可能なものに限られず、例えば、出し入れ方向Ａとは直交する幅方向に摺動することで着脱可能になるものであってもよい。
【００２３】
付勢手段４０は、つまみ部２２側に設けられたつまみ側磁石４１とカード保持部２１側に設けられたトレイ側磁石４２との組からなる。つまみ側磁石４１およびトレイ側磁石４２は、それらの対向する側が同極の磁石からなり、互いに反発するように付勢し合うため、つまみ側磁石４１とトレイ側磁石４２とは、互いに離れようとする。
【００２４】
このため、通常は、図１（ａ）に示すように、つまみ部２２は、カード保持部２１の切欠部２４の底面からカード保持部２１の引き出し方向に所定距離離れた位置にある。それらの磁石の反発力に抗して、つまみ部２２をカード保持部２１に向かって押すと、つまみ部２２をガイド穴２２ａに沿って切欠部２４の底面に向かって移動することができる。つまみ部２２を押し続けると、図１（ｂ）に示すように、つまみ部２２をカード保持部２１の切欠部２４に収容することができる。
【００２５】
この後、図３に示すように、キャップ３０によって開口部１１を閉塞すると、つまみ側磁石４１とトレイ側磁石４２とは反発し合っているが、キャップ３０によって、つまみ側磁石４１をトレイ側磁石４２に近接させた位置に留めることができる。キャップ３０は、つまみ部２２が外側に飛び出ないように抑えることができるものであれば、ハウジング１０との係合の構造はどのようなものであってもよい。摩擦を利用したり、係合部をそれぞれに設けたりすることができる。
【００２６】
図１に示すように、つまみ部２２の引出し方向の先端部には係止穴２２ｂを備える。係止穴２２ｂに爪を引っ掛けることによってトレイ２０をハウジング１０から引き出すことができる。
【００２７】
コネクタ５０は、ケース５１と、コネクタ電極５２と、トレイセンサ５３と、シールドカバー５４とを備える。
【００２８】
ケース５１は、トレイ２０を収容して保持可能であるとともに、携帯電話の基板７０に固定されている。
【００２９】
コネクタ電極５２は、トレイ２０に保持されたカード６０の端子６１と、基板７０に形成された端子とを電気的に接続する。
【００３０】
トレイセンサ５３は、トレイ２０がケース５１に完全に挿入された場合にトレイ２０の先端部が当接するとオンとなるスイッチにより形成されている。
【００３１】
シールドカバー５４は、トレイ２０がケース５１に収納されるように、ケース５１を覆って設けられている。
【００３２】
次に、動作について説明する。
【００３３】
まず、携帯電話にカード６０を装着する動作について説明する。
【００３４】
図６（ａ）に示すように、最初に、使用者は、カード収納構造１のハウジング１０の開口部１１に、トレイ２０を近づける。この時は、使用者は、つまみ部２２を持たずに、カード保持部２１の両側端部や上下の面を親指や人差指で挟んで持つことが多い。このため、付勢手段４０のつまみ側磁石４１およびトレイ側磁石４２は互いに反発し合い、つまみ側磁石４１がトレイ側磁石４２から所定距離離れていてそれらの間に隙間が形成されている。
【００３５】
次に、図６（ｂ）では、使用者は、トレイ２０を挿入方向の先端部から開口部１１に挿入させる。この場合も、使用者は、カード保持部２１の両側端部や上下の面を親指や人差指で挟んで持ちながらカード保持部２１をハウジング１０に押し込むため、つまみ側磁石４１がトレイ側磁石４２から所定距離離れていてそれらの間に隙間が形成されている。
【００３６】
図６（ｃ）では、使用者は、トレイ２０を奥まで押し込んでコネクタ５０に装着する。この場合には、使用者は、開口部１１から指先でつまみ部２２を押し込むことによって、トレイ２０を最奥部まで押し込む。このため、つまみ部２２はカード保持部２１の切欠部２４に収容されることになり、つまみ側磁石４１とトレイ側磁石４２とは最も近接している。
【００３７】
この後、図６（ｄ）に示すように、使用者は、開口部１１をキャップ３０により閉塞する。これにより、携帯電話は、カード６０が装着された通常の使用状態になる。
【００３８】
なお、キャップ３０を取り付ける際、使用者は、トレイ２０を最奥部まで押し込んだ後、指先をつまみ部２２から外すことになる。このため、つまみ側磁石４１がトレイ側磁石４２から付勢されて、つまみ部２２の引き出し側の端部が開口部１１から突出することになる。この時、必要であれば、つまみ部２２の先端部に形成された係止穴２２ｂに爪を引っ掛けることによってトレイ２０を直ちにハウジング１０から引き出すことも可能である。
【００３９】
ここでは、トレイ２０を最奥部に押し込んでからキャップ３０を取り付けているが、装着手順はこれには限られず、例えば、トレイ２０をコネクタ５０の最奥部の少し手前まで押し込んでおき、キャップ３０を取り付け、キャップ３０を押し込むことによってトレイ２０をコネクタ５０の最奥部まで押し込むようにしてもよい。
【００４０】
次に、携帯電話からカード６０を取り出す動作について説明する。図７（ａ）に示すように、携帯電話にカード６０が装着された状態では、カード６０を保持するトレイ２０がコネクタ５０の最奥部に位置するとともに、キャップ３０が閉塞されている。
【００４１】
この状態では、キャップ３０によってつまみ側磁石４１がトレイ側磁石４２の反発力に抗して押されていて、つまみ側磁石４１とトレイ側磁石４２とが最も近接している。
【００４２】
図７（ｂ）に示すように、使用者がキャップ３０を開口部１１から外すと、つまみ側磁石４１がトレイ側磁石４２の反発力によって押されるため、つまみ部２２の端部が、開口部１１から突出する。この時点では、カード保持部２１はコネクタ５０から引き出されていない。
【００４３】
図７（ｃ）では、使用者は、キャップ３０をつまみ部２２から取り外す。この際、つまみ部２２の端部がすでに開口部１１から突出しているため、使用者は、つまみ部２２の先端部に形成されている係止穴２２ｂに爪を引っ掛けることにより、容易に、つまみ部２２を開口部１１から引き出すことができる。
【００４４】
そして、図７（ｄ）に示すように、使用者は、つまみ部２２の係止穴２２ｂに爪を引っ掛けて、さらに、つまみ部２２を開口部１１から外側に引き出す。これにより、カード保持部２１がコネクタ５０から引き出される。図７（ｅ）に示すように、使用者はトレイ２０の全体を開口部１１から引き出して、カード６０をトレイ２０から取り出すことができる。
【００４５】
以上のように、本実施の形態に係るカード収納構造１によれば、図２および図３に示すように、ハウジング１０の内部にトレイ２０が収納され、キャップ３０が開口部１１を閉塞した状態では、キャップ３０によってつまみ部２２が押されるため、付勢手段４０の一方のつまみ側磁石４１が、他方のトレイ側磁石４２に近接した状態で収容される。これにより、付勢手段４０が、キャップの閉塞による作用を何ら阻害することはない。
【００４６】
キャップ３０を開口部１１から引き抜くと、付勢手段４０を構成する組の磁石の相互の反発力によって、つまみ部２２が、開口部１１からハウジング１０の外部まで、あるいは開口部１１の内側であっても外部の近くまで押し出される。このため、使用者は容易に指先あるいは爪をつまみ部２２の係止穴２２ｂに引っ掛けることができる。これにより、従来のように指先や爪がトレイに届かない場合に比べて、ハウジング１０からトレイ２０およびカード６０を容易に取り出すことができるようになる。
【００４７】
このように、キャップ３０を外すだけで、つまみ部２２の係止穴２２ｂがトレイ２０の取り外しの便宜な位置に配置されるため、別途トレイ２０を移動させる手段を必要としない。
【００４８】
また、本実施の形態に係るカード収納構造１によれば、つまみ部２２は、カード保持部２１に対してトレイ２０の出し入れ方向Ａに移動可能になっている。このため、つまみ部２２とカード保持部２１とが一体化されて相対的に固定されている場合に比べて、つまみ部２２を移動させるための付勢手段４０の反発力を小さくすることができる。よって、付勢手段４０の小型化や簡素化を図ることができるとともに、付勢手段４０によるつまみ部２２の押し出し動作の確実性を向上させることができる。
【００４９】
また、本実施の形態に係るカード収納構造１によれば、付勢手段４０は、つまみ部２２およびトレイ２０の各々に設けられるとともに、互いに反発する磁石の組としている。このように磁力による反発力を利用しているので、反発力の発生部分の多少の寸法誤差を吸収することができ、部品加工精度を過度に高める必要が無く、製造コストの上昇を抑えることができる。
【００５０】
また、磁力による反発力を利用することにより、キャップ３０が例えばスライドで開閉するタイプであっても、つまみ部２２を容易に開口部１１から飛び出させることができる。
【００５１】
さらに、本実施の形態に係るカード収納構造１によれば、付勢手段４０は、つまみ部２２側に設けられたつまみ側磁石４１とカード保持部２１側に設けられたトレイ側磁石４２との組からなり、トレイの収納時にはそれらの磁石は最も近接する位置に置かれるので、トレイの取り出し時には、強力な反発力を得ることができる。
【００５２】
また、付勢手段４０は、つまみ側磁石４１とトレイ側磁石４２とからなるので、例えば、使用者がキャップ３０を紛失してしまった場合でも、キャップ３０の有無にかかわらず、つまみ部２２は、開口部１１から突出しているため、どのような状況でも、つまみ部２２を容易に引き出すことができる。
【００５３】
上述した本実施の形態のカード収納構造１においては、付勢手段４０は、つまみ部２２およびカード保持部２１の各々に設けられるとともに、互いに反発する同極性の磁石を対向するように配置した構成を説明した。しかしながら、本発明に係るカード収納構造においては、これに限られず、例えば、図８に示すように、付勢手段は、一組の磁石に代えて、つまみ部２２とカード保持部２１との間に配置したコイルスプリング８３から構成してもよい。
【００５４】
詳述すると、上記の実施の形態と同様に、つまみ部２２には、トレイ２０の出し入れ方向Ａを長手方向とするガイド穴２２ａが形成されており、ガイド穴２２ａには、トレイ２０の幅方向を長手方向とするガイド軸２３が貫通している。このため、つまみ部２２は、ガイド軸２３に保持されていて、ガイド軸２３がガイド穴２２ａに沿って相対的に移動することにより、つまみ部２２がトレイ２０の出し入れ方向Ａに摺動することができる。
【００５５】
また、つまみ部２２とカード保持部２１との間には一対のコイルスプリング８３，８３が、トレイ２０の幅方向に並列に装着されている。コイルスプリング８３は、カード保持部２１からつまみ部２２を離す方向につまみ部２２を付勢する。なお、この実施の形態では、つまみ部２２を付勢する力を幅方向に均等にするために、一対のコイルスプリング８３，８３を並列に配置して用いたが、１つのコイルスプリング８３を用いてつまみ部２２の中央を付勢するようにしてもよい。また、３以上のコイルスプリング８３を用いてもよい。
【００５６】
これらの構成により、つまみ部２２は、カード保持部２１に対してトレイ２０の出し入れ方向Ａのみに摺動するように案内される。通常は、つまみ部２２がコイルスプリング８３，８３によってカード保持部２１から離れる方向に付勢されて、ガイド軸２３が、図８（ｂ）に示すように、ガイド穴２２ａのカード保持部２１側の端面に衝突して止まる。これにより、通常は、つまみ部２２は、切欠部２４の底面から離れる方向に、ガイド穴２２ａの長手方向の長さに相当する一定距離だけ離れた位置に保持される。
【００５７】
一方、つまみ部２２がカード保持部２１に向かって押されると、コイルスプリング８３，８３が収縮し、図８（ａ）に示すように、ガイド軸２３が、ガイド穴２２ａの左側の端面に衝突して止まる。つまり、つまみ部２２は、カード保持部２１の切欠部２４に収容される位置まで動かされてそこに保持される。
【００５８】
図９を参照しながら、図８に示す実施の形態に係る携帯電話からカード６０を取り出す動作について説明する。
【００５９】
図９（ａ）に示すように、携帯電話にカード６０が装着された状態では、カード６０を保持するトレイ２０がコネクタ５０の最奥部に位置するとともに、キャップ３０が閉塞されている。
【００６０】
ここでは、キャップ３０によって、コイルスプリング８３，８３に抗してつまみ部２２が押されているため、ガイド穴２２ａの図９（ａ）に向かって左側の端面にガイド軸２３が衝突して停止している。この時、つまみ部２２は、カード保持部２１の切欠部２４内に収容されている。
【００６１】
図９（ｂ）では、使用者がキャップ３０を開口部１１から外すと、コイルスプリング８３，８３がつまみ部２２を開口部１１に向けて付勢する力により、つまみ部２２が、図９（ｂ）に向かって左側に動かされる。この時、ガイド軸２３が、相対的に、ガイド穴２２ａの図９（ｂ）に向かって左側の端面を離れて右側に移動して、同図に向かって右側の端面に衝突して停止する。ここで、つまみ部２２の端部が開口部１１から飛び出るため、使用者が、つまみ部２２のその端部に形成された係止穴２２ｂに爪を引っ掛けることにより、つまみ部２２を開口部１１から引き出すことができるようになる。これにより、カード６０を容易にトレイ２０から取り出すことができる。
【００６２】
上記のコイルスプリングに代えて、板バネ等の弾性部材を用いてもよい。
【００６３】
上述した本実施の形態のカード収納構造１においては、つまみ部２２はカード保持部２１に対して出し入れ方向Ａに沿って摺動する場合について説明している。しかしながら、本発明に係るカード収納構造においては、これに限られず、つまみ部２２の移動の形態として、直線方向のみの摺動以外の各種の移動を含むことができる。例えば、つまみ部２２の一端がカード保持部２１を含む面に対し直交する１軸線を中心にその面内で回転可能に設けられ、つまみ部２２が、例えば、トーションバネによってその軸線を中心に回転するように付勢されることによりカード保持部２１から開くように移動するようにしてもよい。以下に、図１０から図１２を参照しながら、そのような本発明の第３の実施の形態に係るトレイを説明する。
【００６４】
本実施の形態に係るトレイは、つまみ部９２を有する。つまみ部９２は、矩形のプレート片からなり、一方の端部は、カード保持部２１に固定された保持部９６に回転自在に保持され、他方の端部は、トレイを引き出す際に使用者の指先の爪が引っ掛かることのできる係止部９２ｂを有する。
【００６５】
詳述すると、保持部９６は、プレートを折り曲げて形成した上部プレート９６ａと下部プレート９６ｂとからなり、上部プレート９６ａと下部プレート９６ｂとの隙間にはつまみ部９２が配置されている。上部プレート９６ａ、下部プレート９６ｂおよびつまみ部９２を移動手段の軸９５が貫通していて、つまみ部９２が軸９５の周りを回転することができる。軸９５の両端部は軸芯部分より径が大きく形成されていて、上部プレート９６ａおよび下部プレート９６ｂに形成された貫通孔から軸９５が抜け出るのを防止している。
【００６６】
軸９５には付勢手段のトーションバネ（またはねじりコイルバネ）９３のばね部分が装着されていて、トーションバネ９３の両端のフック部分が、図１０に示すように、それぞれつまみ部９２の側端面および上部プレート９６ａの側端面に係止されている。これにより、トーションバネ９３は、つまみ部９２を付勢して、図１０（ａ）に示すように、つまみ部９２の係止部９２ｂがカード保持部２１から離れるようにつまみ部９２を回転する。図１０（ａ）に示すように、つまみ部９２は、その位置において、保持部９６を形成する上部プレート９６ａおよび下部プレート９６ｂの折り曲げ部に衝突して停止する。この位置では、つまみ部９２の係止部９２ｂは、カード保持部２１から最も離れた位置にある。
【００６７】
図１０（ａ）に示す位置から、トーションバネ９３の付勢力に抗してつまみ部９２を回転させると、図１１に示すように、つまみ部９２をカード保持部２１に最も近接した位置に収容することができる。
【００６８】
図１０および図１１を参照しながら説明したように、トーションバネ９３の付勢力によってつまみ部９２を回転させ、また、トーションバネ９３の付勢力に抗してつまみ部９２を回転させると、つまみ部９２の係止部９２ｂは、トレイを出し入れする方向Ａに沿って、カード保持部２１から最も離れた位置とカード保持部２１に最も近接した位置との間で変位することができる。
【００６９】
図１０から図１２を参照しながら、本第３の実施の形態に係るトレイを例えば携帯電話のハウジングに設けられたコネクタのケース５１から取り出す動作を説明する。
【００７０】
本実施の形態に係るトレイがハウジングのコネクタのケース５１内に収容されている場合（図示せず）には、例えば、図２および図３に示す実施の形態に係るトレイ２０と同様に、ハウジング１０の開口部１１がキャップ３０によって閉じられている。この状態では、キャップ３０が、トーションバネ９３の付勢力に抗してつまみ部９２の係止部９２ｂを押さえているため、図１１に示すように、係止部９２ｂがカード保持部２１に最も近接した位置に保持されている。
【００７１】
次に、キャップを開口部から取り外すと、トーションバネ９３の付勢力によってつまみ部９２が回転させられて、図１０（ａ）に示すように、つまみ部９２の係止部９２ｂがカード保持部２１から最も離れた位置（離隔した位置）まで変位する。この状態では、図示していないが、係止部９２ｂが、キャップが取り除かれた開口部から突出している。
【００７２】
次に、使用者が、その開口部から突出している係止部９２ｂに指先や爪を引っ掛け、つまみ部９２引っ張ると、図１２に示すように、コネクタのケース５１からトレイを抜き出すことができる。
【００７３】
このように、本実施の形態によると、キャップを外すだけで、開口部からつまみ部９２の係止部９２ｂが突出するので、使用者は、つまみ部９２のその突出した係止部９２ｂに爪を引っ掛けることにより、容易に、つまみ部９２を開口部から引き出すことができるようになる。また、トレイを取り出す際には、開口部を閉塞しているキャップを取り外すだけで、つまみ部９２の係止部９２ｂを突出させることができるので、キャップの構造を問わずにどのようなコネクタにも本実施の形態に係るトレイを使用することができる。
【００７４】
次に、図１３および図１４を参照しながら、本発明の第４の実施の形態に係るトレイを説明する。第４の実施の形態に係るトレイは、第３の実施の形態に係るトレイと同様に、つまみ部１９２の一方の端部がカード保持部２１を含む面に対し直交する１軸線を中心にその面内で回転可能に設けられている。このため、つまみ部１９２が、例えば、トーションバネ９３によってその軸線を中心に回転するように付勢されることにより、つまみ部１９２の係止部１９２ｂがカード保持部２１から離れるように移動することができる。
【００７５】
一方、第４の実施の形態に係るトレイは、第３の実施の形態に係るトレイと比べて、つまみ部１９２を収納したときのトレイの出し入れ方向Ａに沿う方向のつまみ部１９２の幅（または奥行）に対するトレイの出し入れ方向Ａに沿う方向に突出したときのつまみ部１９２の長さの比率が大きいという点で相違する。
【００７６】
第４の実施の形態に係るトレイを詳述する。第４の実施の形態に係るトレイはつまみ部１９２を有する。つまみ部１９２は、矩形のプレート片からなり、一方の端部は、カード保持部２１に固定された保持部１９６に回転自在に保持され、他方の端部は、トレイを引き出す際に使用者の指先や爪が引っ掛かることのできる係止部１９２ｂを有する。
【００７７】
保持部１９６は、プレートを折り曲げて形成した上部プレート１９６ａと下部プレート１９６ｂとからなる。下部プレート１９６ｂはハウジングの開口部側に面するカード保持部２１の端面に沿って配置されている。上部プレート１９６ａと下部プレート１９６ｂとの隙間にはつまみ部１９２が配置され、上部プレート１９６ａ、下部プレート１９６ｂおよびつまみ部１９２を移動手段の軸９５が貫通していて、つまみ部１９２が軸９５の周りを回転することができる。軸９５の両端部は軸芯部分より径が大きく形成されていて、上部プレート１９６ａおよび下部プレート１９６ｂに形成された貫通孔から軸９５が抜け出るのを防止している。軸９５は、カード保持部２１に近接した位置に設けられている。
【００７８】
軸９５には付勢手段のトーションバネ（またはねじりコイルバネ）９３のばね部分が装着されていて、トーションバネ９３の両端のフック部分が、図１３に示すように、それぞれつまみ部１９２の側端面および上部プレート１９６ａの側端面に係止されている。これにより、トーションバネ９３は、つまみ部１９２を付勢して、図１３（ａ）に示すように、つまみ部１９２の係止部１９２ｂがカード保持部２１から離れるようにつまみ部１９２を回転する。図１３（ａ）に示すように、つまみ部１９２は、その位置において、保持部１９６を形成する上部プレート１９６ａおよび下部プレート１９６ｂの折り曲げ部に衝突して停止する。この位置では、つまみ部１９２の係止部１９２ｂは、カード保持部２１から最も離れた位置にある。
【００７９】
図１３（ａ）に示す位置から、トーションバネ９３の付勢力に抗してつまみ部１９２を回転させると、図１４に示すように、つまみ部１９２をカード保持部２１に最も近接した位置に収容することができる。
【００８０】
次に、第４の実施の形態に係るトレイを携帯電話等のハウジングに設けられたコネクタから取り出す場合を説明する。トレイがハウジングのコネクタ内に収容されている場合（図示せず）には、例えば、図２および図３に示す実施の形態に係るトレイ２０と同様に、ハウジング１０の開口部１１がキャップ３０によって閉じられている。この状態では、キャップ３０が、トーションバネ９３の付勢力に抗してつまみ部１９２の係止部１９２ｂを押さえているため、図１４に示すように、係止部１９２ｂがカード保持部２１に最も近接した位置に保持されている。
【００８１】
次に、キャップを開口部から取り外すと、トーションバネ９３の付勢力によってつまみ部１９２が回転して、図１３（ａ）に示すように、つまみ部１９２の係止部１９２ｂがカード保持部２１から最も離れた位置（離隔した位置）まで移動する。この状態では、図示していないが、係止部１９２ｂが、キャップが取り除かれた開口部から突出している。この状態で、使用者が、その開口部から突出している係止部１９２ｂに指先や爪を引っ掛け、つまみ部９２を引っ張るとコネクタからカード保持部２１を抜き出すことができる。
【００８２】
図１３および図１４を参照しながら説明したように、トーションバネ９３の付勢力によってつまみ部１９２を回転させ、また、トーションバネ９３の付勢力に抗してつまみ部１９２を回転させると、つまみ部１９２の係止部１９２ｂは、トレイを出し入れする方向Ａに沿って、カード保持部２１から最も離れた位置とカード保持部２１に最も近接した位置との間で変位することができる。
【００８３】
この場合、図１４に示すように、トーションバネ９３の付勢力に抗してつまみ部１９２を回転させて、つまみ部１９２をカード保持部２１に最も近接した位置に収容すると、つまみ部１９２の幅（または奥行）は、トレイを出し入れする方向Ａに沿った長さＬ１（図１３（ａ）、図１４）になる。これに対し、トーションバネ９３の付勢力によって、つまみ部１９２が回転してトレイを出し入れする方向Ａに沿って突出し、係止部１９２ｂがカード保持部２１から最も離れた位置に移動したときには、つまみ部１９２の長手方向に沿った長さは、Ｌ２（図１３（ａ））になる。
【００８４】
Ｌ１はつまみ部１９２を収容した場合のトレイの外形寸法の一部になるため、トレイの小型化を図る観点からは、つまみ部１９２の収納時のＬ１は小さいことが望ましい。一方、Ｌ２は、カード保持部２１の本体から突出できるつまみ部１９２の係止部１９２ｂの先端までの長さを表すため、例えば、コネクタが電子機器の奥まった位置に設けられている場合にはトレイの取り出しのためには、Ｌ２が大であることが望ましい。
【００８５】
このように、第４の実施の形態に係るトレイでは、Ｌ１に対するＬ２の比率を相当に大きくすることが望ましい。このためには、例えば、つまみ部１９２を回転させるための軸９５をトレイの出し入れ方向Ａと直交するカード保持部２１の幅方向の両側端面の一方の側端面の近くに設け、また、幅が狭い（または奥行が小さい）つまみ部１９２を用いることが望ましい。
【００８６】
本発明の第４の実施の形態に係るトレイによると、つまみ部１９２を収納したときのトレイの外形寸法を小さくできる一方、ハウジングの開口部から奥まった位置にカード保持部２１が収容されている場合であっても、トレイの出し入れ方向Ａに沿ってカード保持部２１から大きく離れた位置につまみ部の係止部を移動することができるため、そのようなハウジングからでも容易にトレイを引き抜き出すことができる。
【００８７】
上記のトレイの寸法を小さくする一方つまみ部をカード保持部２１から大きく離れた位置につまみ部の係止部を移動させるという観点から、トレイを出し入れする方向Ａに沿ったつまみ部の大きさ（長手方向の長さ）Ｌ２が、トレイを出し入れする方向Ａに沿ったつまみ部の大きさ（幅または奥行）Ｌ１よりも大であるとともに、つまみ部の移動手段の軸が、カード保持部の一方の側面部の近くに配置されていることが望ましい。
【００８８】
上記の観点から、第４の実施の形態に係るトレイにおいて、例えば、カード保持部２１に保持部１９６を設けずに、トーションバネ９３を装着した軸９５をカード保持部２１の角に直接に設けて、トーションバネ９３の一方の端部のフックをカード保持部２１に直接に固定し、また、つまみ部１９２を設けずに、トーションバネ９３の他方の端部をつまみ部として使用するという変形例が考えられる。この変形例では、つまみ部として使用するトーションバネ９３の他方の端部は、カード保持部２１の幅の大きさに対応する長さを有する自由端である。自由端の端部に指先や爪を引っ掛けることのできる係止部を設けてもよい。
【００８９】
その変形例では、自然な状態ではトーションバネ９３の２つの端部は離れているため、つまみ部として使用するトーションバネ９３の他方の端部の長さの内のトレイを出し入れする方向Ａに沿った長さ成分がＬ２に相当し、つまみ部を収容したときは、そのつまみ部として使用するトーションバネ９３の他方の端部はカード保持部２１の幅方向に沿って収容されるので、そのつまみ部として使用するトーションバネ９３の他方の端部の直径がＬ１に相当することになる。
【００９０】
この変形例によると、Ｌ１はほぼトーションバネ９３の１本の延出部分の直径になるため、トレイの外形寸法に影響を与えることはない。一方、Ｌ２は、例えば、最大の大きさとして、カード保持部２１の幅方向の大きさと同じになり、コネクタが指を挿入できないようなハウジングの相当奥まった位置に配置されている場合であってもつまみ部の自由端の端部が開口部から突出するため、容易にトレイの取り出しを行うことができる。
【００９１】
上述した本実施の形態のカード収納構造１においては、カード収納構造１を携帯電話に搭載した場合について説明している。しかしながら、本発明に係るカード収納構造においては、これに限られず、例えば、ゲーム機器など、カードを利用する電子機器に搭載したり、あるいはメモリカードを持ち運ぶためのカードケースに搭載したりすることができる。この場合、カードケースには、カードに電磁気的に接続するコネクタを設ける必要はない。
【００９２】
以上のように、本発明に係るカード収納トレイ、カード収納構造およびカード収納構造を利用した電子機器は、カードを保持するトレイをハウジングから容易に取り出すことができるという効果を奏するものであり、カード収納トレイ、カード収納構造およびカード収納構造を利用した電子機器に有用である。
【符号の説明】
【００９３】
１  カード収納構造
１０  ハウジング
１１  開口部
２０  トレイ
２１  カード保持部
２２  つまみ部
２２ａ  ガイド穴（移動手段）
２２ｂ  係止穴
２３  ガイド軸（移動手段）
２４  切欠部
３０  キャップ
４０  付勢手段
４１  つまみ側磁石
４２  トレイ側磁石
５０  コネクタ
６０  カード
８３  コイルスプリング（付勢手段）
９２  つまみ部
９２ｂ  係止部
９３  トーションバネ（付勢手段）
９５  軸（移動手段）
１９２  つまみ部
１９２ｂ  係止部
【図１】
0005494768.tif 000002
【図２】
0005494768.tif 000003
【図３】
0005494768.tif 000004
【図４】
0005494768.tif 000005
【図５】
0005494768.tif 000006
【図６】
0005494768.tif 000007
【図７】
0005494768.tif 000008
【図８】
0005494768.tif 000009
【図９】
0005494768.tif 000010
【図１０】
0005494768.tif 000011
【図１１】
0005494768.tif 000012
【図１２】
0005494768.tif 000013
【図１３】
0005494768.tif 000014
【図１４】
0005494768.tif 000015